(57)【特許請求の範囲】
【請求項１】
掘削装備を用いて、２８〜４０℃の高温水が生成される深さまで温泉孔を掘削する掘削段階と；
熱融着により連結された合成樹脂材の吸入パイプを前記温泉孔の内部に挿入する吸入パイプ挿入段階と；
上端および下端が開口したケースの前記上端から水中ポンプを挿入させるが、前記水中ポンプがケースの上端に支持されて前記ケースの内部にぶら下がった状態で内蔵されるようにするカプセル型水中ポンプ組立段階と；
前記ケースの下端を前記吸入パイプの上端に連結させるカプセル型水中ポンプ連結段階と；
前記ケースの上端を介して突出した前記水中ポンプの吐出具に、二重に保温される吐出パイプを連結させる吐出パイプ連結段階と；
前記吸入パイプの下端が前記温泉孔の底部付近まで到達するように、一体に連結された吸入パイプ、カプセル型水中ポンプおよび吐出パイプを下降させる位置決め段階と；を含んでなることを特徴とする、カプセル型水中ポンプ施工方法。
【請求項２】
前記吸入パイプ挿入段階で、吸入パイプの上端に金属性材質の吸入パイプ連結管を結合させ、前記吸入パイプを温泉孔の中に挿入するが、温泉孔の外部に吸入パイプの上端が露出するようにした状態でクランプで前記吸入パイプ連結管を把持して固定させることを特徴とする、請求項１に記載のカプセル型水中ポンプ施工方法。
【請求項３】
前記カプセル型水中ポンプ組立段階で、前記吐出具の上端に金属性材質の吐出パイプ連結管を結合させることを特徴とする、請求項１に記載のカプセル型水中ポンプ施工方法。
【請求項４】
前記カプセル型水中ポンプ組立段階で、前記カプセル型水中ポンプは、
内部が空いた中空管形状を有し、下部側に第１フランジが形成されるケースと；
前記ケースに内蔵されるが、吐出具の中間に密閉用蓋が結合され、前記密閉用蓋は前記ケースの上端に結合される水中ポンプと；
地上から前記水中ポンプへ電気を供給するために前記密閉用蓋に設けられる電線設置孔と；を含むことを特徴とする、請求項１〜３のいずれか一項に記載のカプセル型水中ポンプ施工方法。
【請求項５】
前記カプセル型水中ポンプ連結段階は、
クランプで固定された前記吸入パイプ連結管の上端を前記第１フランジに結合させることを特徴とする、請求項４に記載のカプセル型水中ポンプ施工方法。
【請求項６】
前記吸入パイプ連結管の外面に連結リングが設けられ、前記吸入パイプ挿入段階の際に、前記連結リングに補助ロープの一端を連結し、前記補助ロープの他端は前記吸入パイプに連結することを特徴とする、請求項４に記載のカプセル型水中ポンプ施工方法。
【請求項７】
前記吐出パイプは、
金属、非鉄金属および合金のいずれか一つの材質からなる外部パイプと、
前記外部パイプの内部に挿入される合成樹脂材質の内部パイプと、
前記外部パイプと前記内部パイプとの間の空間を密閉させて保温層を形成させるためのエポキシ栓とからなることを特徴とする、請求項１〜３のいずれか一項に記載のカプセル型水中ポンプ施工方法。
【発明の詳細な説明】
【技術分野】
【０００１】
本発明は、地下水や温泉、地熱などの開発に使用される水中ポンプに関し、より具体的には、設置施工およびメンテナンスが容易であり、吐き出される地下水や温泉水の水温降下を効果的に防止することができるため、無駄な経費およびエネルギーを省くことができるカプセル型水中ポンプ施工方法に関する。
【背景技術】
【０００２】
人間の生存に不可欠な要素の一つが水であり、現在も一部の地域では深刻な水不足に苦しんでいる。つまり、水は一つの重要な資源であり、特に飲料水として使用される良質の水の確保は重要な問題となってきている。
【０００３】
現在も数多くの地下水が開発されており、温泉資源を見つけるための探査が行われている。特に、韓国も水不足国に分類されているので、今後、足りない良質の水を確保するための研究および開発がより盛んに行われるだろうと予想される。
【０００４】
一般に、温泉水の開発のためには地下水の開発に比べて地下深く温泉孔を掘削しなければならないが、韓国の場合、約１０００ｍ程度の深さまで下りていけば約３０〜４０℃程度の温泉水を得ることができると知られている。
【０００５】
現在、韓国の温泉の約８０％以上は、汲み上げた温泉水が直ちに使用できず、汲み上げてから再加熱する過程を経るようにする。これは、温泉水の温度自体が低い場合もあるが、温泉水を汲み上げる過程中に温泉孔の上部に形成される冷水層を通過しながら水温が下がるためである。
【０００６】
したがって、莫大な費用をかけて温泉を開発したが、商業的使用のために、さらに高いコストをかけて、汲み上げた温泉水を再加熱しなければならないので、コスト負担になるうえ、無駄なエネルギー浪費を誘発しているのである。
【０００７】
図１は一般な温泉水開発時の施工図を示す。
【０００８】
図示の如く、地層構造は、通常、地表から表土層１、風化帯層２、軟岩層３、硬岩層４、極硬岩層５の順で形成されると知られている。温泉水として活用される程度の水温である４０℃以上の温泉水は、極硬岩層の付近である約１０００ｍ以上の深さから得ることができる。
【０００９】
したがって、一般な温泉孔の施工は表土層１に井戸のマンホール６を形成し、井戸のマンホール６から外部ケーシング７をおよそ軟岩層の深さまで設置し、外部ケーシング７内に内部ケーシング８を硬岩層４の中間程度の深さまで設置する。
【００１０】
温泉孔は、略１０００ｍ以上の深さまで形成され、内部ケーシング８を介して水中ポンプ１０を略５００〜１０００ｍの深さまで設置する。すなわち、地上から挿入される揚水パイプ２０の下端部に水中ポンプ１０を接続した状態で温泉水を汲み上げることになる。
【００１１】
このような既存の温泉孔施工方式によれば、水中ポンプ１０をなるべく温泉孔の深さまで下ろして設置しなければならないので、定期的にあるいは故障時に水中ポンプを取替／修理しなければならない場合、大型クレーンを用いて地上に水中ポンプを引き上げなければならないので、高いメンテナンス費が発生するという問題点があった。
【００１２】
また、温泉孔の深さに設置される水中ポンプ１０は、何らの保護膜もない状態で水中に露出しているので、破損する可能性が高い。例えば、温泉孔のいずれか一部分で亀裂が生じて土砂や岩石が落ちる場合、水中ポンプ１０に衝撃が作用することがあり、水中ポンプの吸入口を塞いで正常な動作を妨げるという問題点もあった。
【００１３】
また、従来は、揚水パイプとして、単一管たるステンレス管や白管、一般鋼管を用いたので、水中ポンプ１０によって汲み上げられる温泉水が冷水層区間を通過しながら急激な水温降下が起こるので、最終的に吐き出される温泉の水温は約２４〜３０℃程度に過ぎない。したがって、汲み上げた温泉水を、別途の熱源を用いて再加熱した後に供給しなければならないので、さらなる費用負担が発生し、エネルギー浪費を誘発するという問題点があった。
【００１４】
そして、水中ポンプは、高馬力を利用しなければならないので、電気代も高いしかなく、揚水パイプの内部にスケールが多く生成されるため、定期的な掃除或いは取替作業が求められるという問題点があった。
【先行技術文献】
【特許文献】
【００１５】
【特許文献１】大韓民国特許公告第１０−１９９５−０００７６０２号
【発明の概要】
【発明が解決しようとする課題】
【００１６】
そこで、本発明の目的は、施工費やメンテナンス費を節減することができ、温泉水の揚水過程中に冷水帯による水温降下を最小化することができるようにして、汲み上げた温泉水を再加熱する必要がないようすることにより、燃料費を節減することができるカプセル型水中ポンプ施工方法を提供することにある。
【課題を解決するための手段】
【００１７】
上記目的を達成するための本発明に係るカプセル型水中ポンプ施工方法は、 掘削装備を用いて、２８〜４０℃の高温水が生成される深さまで温泉孔を掘削する掘削段階と、熱融着により連結された合成樹脂材の吸入パイプを前記温泉孔の内部に挿入する吸入パイプ挿入段階と、上端および下端が開口したケースの前記上端から水中ポンプを挿入させるが、前記水中ポンプがケースの上端に支持されて前記ケースの内部にぶら下がった状態で内蔵されるようにするカプセル型水中ポンプ組立段階と、前記ケースの下端を前記吸入パイプの上端に連結させるカプセル型水中ポンプ連結段階と、前記ケースの上端を介して突出した前記水中ポンプの吐出具に、二重に保温される吐出パイプを連結させる吐出パイプ連結段階と、前記吸入パイプの下端が前記温泉孔の底部付近まで到達するように、一体に連結された吸入パイプ、カプセル型水中ポンプおよび吐出パイプを下降させる位置決め段階とを含んでなることを特徴とする。
【００１８】
好ましくは、前記吸入パイプ挿入段階で、吸入パイプの上端に金属性材質の吸入パイプ連結管を結合させ、前記吸入パイプを温泉孔の中に挿入させるが、温泉孔の外部に吸入パイプの上端が露出するようにした状態でクランプで前記吸入パイプ連結管を把持して固定させることを特徴とする。
【００１９】
好ましくは、前記カプセル型水中ポンプ組立段階で、前記吐出具の上端に金属性材質の吐出パイプ連結管を結合させることを特徴とする。
【００２０】
好ましくは、前記カプセル型水中ポンプ組立段階で、前記カプセル型水中ポンプは、内部が空いた中空管形状を有し、下部側に第１フランジが形成されるケースと；前記ケースに内蔵されるが、吐出具の中間に密閉用蓋が結合され、前記密閉用蓋は前記ケースの上端に結合される水中ポンプと；地上から前記水中ポンプへ電気を供給するために前記密閉用蓋に設けられる電線設置孔と；を含むことを特徴とする。
【００２１】
好ましくは、前記カプセル型水中ポンプ連結段階は、クランプで固定された前記吸入パイプ連結管の上端を前記第１フランジに結合させることを特徴とする。
【００２２】
好ましくは、前記吸入パイプ連結管の外面に連結リングが設けられ、前記吸入パイプ挿入段階の際に、前記連結リングに補助ロープの一端を連結させ、前記補助ロープの他端は前記吸入パイプに連結さえることを特徴とする。
【００２３】
好ましくは、前記吐出パイプは、金属、非鉄金属および合金のいずれか一つの材質からなる外部パイプと、前記外部パイプの内部に挿入される合成樹脂材質の内部パイプと、前記外部パイプと前記内部パイプとの間の空間を密閉させて保温層を形成させるためのエポキシ栓とからなることを特徴とする。
【発明の効果】
【００２４】
本発明に係るカプセル型水中ポンプ施工方法によれば、水中ポンプを安全に保護して故障発生の可能性を減らすことができるという効果がある。
【００２５】
また、本発明によれば、水中ポンプ自体は温泉孔の下部まで下ろして設置しなくてもよいので、設置時またはメンテナンス時のコストが節減されるという効果がある。また、本発明の設置構造では、吸入パイプとして合成樹脂材のものを使用するので、全体重量を大幅に減らすことができるため、小型クレーンを利用することができるという効果もある。
【００２６】
また、本発明によれば、吸入パイプを介して高温の温泉水を汲み上げるが、水中ポンプ以後の吐出パイプを二重構造の保温管の形態とすることにより、冷水帯による水温降下を最小化し、汲み上げた温泉水を再加熱することなく、直ちに使用可能であるという効果もある。すなわち、従来の汲み上げた温泉水を再加熱する過程を省略することにより、高い燃料費節減効果および省エネルギー効果を得ることができる。
【００２７】
また、本発明によれば、吸入パイプとカプセル型水中ポンプとの連結時に、吸入パイプの上端に結合される金属材の吸入パイプ連結管をクランプで把持して固定させることができるため、カプセル型水中ポンプの連結作業が一層便利になるという効果もある。
【図面の簡単な説明】
【００２８】
【図１】一般な温泉水開発時の施工図である。
【図２】本発明の一実施形態に係るカプセル型水中ポンプ施工方法の作業工程図である。
【図３】本発明によって施工されたカプセル型水中ポンプの施工断面図である。
【図４】カプセル型水中ポンプの詳細構成図である。
【図５】吐出パイプの構成図である。
【発明を実施するための形態】
【００２９】
以下、本発明に係るカプセル型水中ポンプ施工方法についてより詳細に説明する。理解の便宜のために添付図面を参照する。但し、提示される図面は本発明の技術的思想に基づいて具体化した一実施形態を示すものであることを明かしておく。
【００３０】
図２は本発明の一実施形態に係るカプセル型水中ポンプ施工方法の作業工程図、図３は本発明により施工されたカプセル型水中ポンプの施工断面図、図４はカプセル型水中ポンプの詳細構成図、図５は吐出パイプの構成図である。
【００３１】
本発明に係るカプセル型水中ポンプ施工方法は、大きくは、掘削段階Ｓ１、吸入パイプ挿入段階Ｓ２、カプセル型水中ポンプ組立段階Ｓ３、カプセル型水中ポンプ連結段階Ｓ４、吐出パイプ連結段階Ｓ５、および位置決め段階Ｓ６を含んでなる。
【００３２】
本発明のカプセル型水中ポンプ施工方法は、地下水や温泉水などの開発時に活用可能な技術である。以下、温泉水開発時を具体的な例として提示する。以下の説明で公知の技術である場合には、これについての具体的な説明は省略する。
【００３３】
掘削段階Ｓ１では 掘削装備を用いて所定の深さまで温泉孔１を掘削するが、通常１０００ｍ程度の深さまで掘削すれば２８〜４０℃の高温水が生成されるので、状況に応じて適切な深さの温泉孔を掘削すればよい。
【００３４】
通常、このような掘削の際には、所定の深さまで外部ケーシング１０を打ち込み、外部ケーシング１０の内部を介してより深く内部ケーシング２０を打ち込むことにより、各種汚染源が温泉孔１内に流入することを遮断する。
【００３５】
掘削段階Ｓ１が完了すると、吸入パイプ挿入段階Ｓ２が続く。
【００３６】
基本的に、吸入パイプ１００は、合成樹脂材のパイプを使用し、後述する吐出パイプなどの長さを考慮して、最終的には温泉孔１の底部近くまで到達できるように熱融着によって長く連結させる。準備された吸入パイプ１００の一端を温泉孔１の内部に挿入する。施工環境に応じて、空間が狭いか天井がある場合などでも、本発明の方法によれば、無理なく吸入パイプ１００を連続的に連結することができる。
【００３７】
すなわち、吸入パイプは、合成樹脂材のパイプなので、ある程度の弾性があって曲げることができ、適切な長さに切って熱融着方式で連結可能であるという利点を持つ。
【００３８】
好ましくは、吸入パイプ１００は、合成樹脂で製作することにより、重量が軽く、腐食が防止されるうえ、内部にスケールが容易に形成されないようにする。具体的に、吸入パイプ１００はＰＥＭパイプを利用するが、ＰＥＭパイプはポリエチレン系のパイプであって多くの利点を持っている。
【００３９】
すなわち、ＰＥＭパイプは、酸、アルカリ、塩分などにより腐食しないため、化学的安定性が高く、材質自体に鉄やその他漏出するおそれのある有害成分がないため非常に衛生的で、柔軟性が高いという利点があり、軽くて取扱いおよび設置が容易であり、熱融着方式で連続的に連結して使用することができるという利点がある。その他にも、耐食性および耐衝撃性が強く、耐摩耗性にも優れるという利点をあって、温泉水開発用としての使用に適する。
【００４０】
好ましくは、吸入パイプ挿入段階Ｓ２の際に、吸入パイプ１００の上端には金属性材質の吸入パイプ連結管２００を結合させる。吸入パイプ１００と吸入パイプ連結管２００との結合は雌雄結合方式で締結される様々な公知の技術やフランジ結合方式などが使用できる。
【００４１】
吸入パイプ１００を温泉孔１の中に挿入するが、温泉孔の外部に吸入パイプ１００の上端が露出するようにし、クランプ（図示せず）で吸入パイプ連結管２００を把持して固定させる。最小数百メートルに達する長さの吸入パイプ１００が温泉孔１の中に挿入された状態なので、吸入パイプ１００のみの重量も相当である。したがって、以後の作業のために、損傷の危険性が低い吸入パイプ連結管２００にクランプを取り付けて支持することができるようにする。
【００４２】
一方、吸入パイプ連結管２００の外面に連結リング２１０を設けることができ、連結リング２１０に補助ロープ２２０の一端を連結させ、補助ロープ２２０の他端は吸入パイプ１００に連結させることが好ましい。
【００４３】
吸入パイプ１００と吸入パイプ連結管２００との結合部に損傷などが発生してその結合が解除される場合、吸入パイプ１００が温泉孔の中に落下することがある。このような場合、再び吸入パイプ１００を取り出すことは非常に難しい作業になるので、予備的に補助ロープ２２０を用いて吸入パイプ１００と吸入パイプ連結管２００を拘束させておく。
【００４４】
次に、カプセル型水中ポンプ組立段階Ｓ３が続く。
【００４５】
本段階では、ケース３１０の内部に水中ポンプ３２０を挿入させて、ケース３１０に水中ポンプ３２０が内蔵されるように組み立てる段階である。
【００４６】
具体的に、カプセル型水中ポンプ３００は、ケース３１０、水中ポンプ３２０および電線設置孔３３０を含んでなる。
【００４７】
ケース３１０は、細長い中空管形状を有し、上端と下端のみが開口し、外面は完全に密閉された状態をなす。そして、ケース３１０の下端に第１フランジ３１１が形成される。
【００４８】
ケース３１０に内蔵される水中ポンプ３２０は、本体３２１、および本体３２１の上部に設けられる吐出具３２２を含み、吐出具３２２の中間に密閉用蓋３２３が一体に結合される構造をなす。ケース３１０の上端から水中ポンプ３２０を挿入し、密閉用蓋３２３がケース３１０の上端に接触するまで挿入した後、ケース３１０の上端と密閉用蓋３２３とを密閉結合させる。
【００４９】
好ましくは、完全な密閉のためにケース３１０の上端面にＯリングなどのシール材を設け、密閉用蓋３２３の縁部がＯリングに密着する状態となるようにして締結させることができる。
【００５０】
水中ポンプ３２０をケース３１０の上部から挿入すると、密閉用蓋３２３がケース３１０の上端に接触し、それ以上水中ポンプ３２０の本体３２１は下りずケース３１０の内部にぶら下げられた状態で設置される。
【００５１】
水中ポンプ３２０は電気の供給を受けて動作する。よって、地上から水中ポンプ３２０へ電気を供給するために密閉用蓋３２３に電線設置孔３３０を設け、電線設置孔３３０を介して電線３３１が挿入されて配設されるようにし、電線設置孔３３０を完全に密閉させるようにすることが好ましい。
【００５２】
好ましくは、カプセル型水中ポンプ組立段階Ｓ３で、吐出具３２２の上端に金属性材質の吐出パイプ連結管４００を結合させる。本実施形態の場合、吐出具３２２と吐出パイプ連結管４００との結合はフランジを利用するが、これに限定されず、公知の様々な結合方式が採用できる。
【００５３】
吐出具３２２の上端に第３フランジ３２２−１を設け、吐出パイプ連結管４００の下端には第４フランジ４１０を設けることにより、第３フランジ３２２−１と第４フランジ４１０とが互いに締結できるようにする。
【００５４】
カプセル型水中ポンプ３００の組立が完了すると、次いでカプセル型水中ポンプ連結段階Ｓ４を行う。
【００５５】
カプセル型水中ポンプ連結段階Ｓ４では、ケース３１０の下端を吸入パイプ１００の上端に連結するが、ケース３１０の下端に形成される第１フランジ３１１を吸入パイプ１００と連結させる。
【００５６】
好ましくは、吸入パイプ１００の上端には吸入パイプ連結管２００が結合できるが、このような場合、吸入パイプ連結管２００の上端に第２フランジ２３０を形成して第１フランジ３１１と第２フランジ２３０とを相互密閉結合させる。
【００５７】
カプセル型水中ポンプ連結段階Ｓ４では、吸入パイプ連結管２００をクランプで把持して固定させ、準備されたカプセル型水中ポンプ３００をクレーンなどの手段で地上高く持ち上げてケース３１０の第１フランジ３１１を吸入パイプ連結管２００の第２フランジ２３０に合わせてボルトなどで締結させる。
【００５８】
吸入パイプ連結管２００にカプセル型水中ポンプ３００を締結した後には、全体的に温泉孔１の中に挿入し、カプセル型水中ポンプ３００の上端近くが温泉孔の外部に露出するように支持固定させる。
【００５９】
カプセル型水中ポンプ３００の支持固定のために、吐出具３２２に連結される金属性材質の吐出パイプ連結管４００をクランプで把持して固定させる。このとき、吸入パイプ連結管２００を把持して固定していたクランプは取り除かれる。
【００６０】
クランプで吐出パイプ連結管４００を固定した状態で吐出パイプ連結段階Ｓ５が行われる。
【００６１】
吐出パイプ連結段階Ｓ５は、二重に保温される吐出パイプ５００を吐出具３２２に連結させる段階であり、本実施形態の場合、吐出具３２２に結合される吐出パイプ連結管４００に吐出パイプ５００の下端を連結させる。
【００６２】
吐出パイプ５００と吐出パイプ連結管４００との結合は、公知のフランジ間の結合またはソケットタイプの手段が使用できる。
【００６３】
より具体的に、本発明における吐出パイプ５００は、二重管構造を持つが、外部パイプ５１０、内部パイプ５２０およびエポキシ栓５３０を含んでなってもよい。
【００６４】
外部パイプ５１０は、金属、非鉄金属または合金のいずれかの材質からなるパイプであって、白官、鋼管、ステンレス管などのものが採用できる。外部パイプ５１０の上端および下端には連結のための結合手段５４０が設けられる。結合手段５４０は、雌雄結合方式で締結されるカップリングなどのものが活用できる。
【００６５】
外部パイプ５１０の内部に挿入される内部パイプ５２０が設けられ、内部パイプ５２０は、合成樹脂材質で形成することが好ましく、ＰＥＭパイプを採用することができる。
【００６６】
外部パイプ５１０の内径よりも内部パイプ５２０の外径を小さくして内部パイプ５２０と外部パイプ５１０との間に空き空間が形成されるようにし、この空き空間を完全に密閉させることにより保温層が形成されるようにする。
【００６７】
内部パイプ５２０と外部パイプ５１０との間に形成される保温層の密閉のために、内外部パイプ５２０、５１０の各端部をエポキシ栓５３０で塞ぐ。吐出パイプ５００を二重管構造とすることにより、保温層による優れた断熱効果を得ることができ、汲み上げられる温泉水が冷水帯区間を通過しても温度降下を最小化することができる。
【００６８】
吐出パイプ連結段階Ｓ５の次に、位置決め段階Ｓ６を行う。
【００６９】
設置を完了するための手続きとして、吸入パイプ１００の下端が温泉孔１の底部付近まで到達するように一体に連結された、吸入パイプ１００、カプセル型水中ポンプ３００および吐出パイプ５００を下降させる。
【００７０】
以上説明したように、本発明のカプセル型水中ポンプ施工方法は、水中ポンプ３２０を温泉孔１の底部まで下ろして設置することなく、水中ポンプを約２００〜４００ｍ付近に設置することができ、その以後からは軽量の合成樹脂材の吸入パイプ１００を連結することにより、重量を画期的に減らすことができる。したがって、設置の際に大型クレーンを使用しなくてもよく、メンテナンスのためにカプセル型水中ポンプ３００および吸入パイプ１００などを取り出すときにも小型クレーンを利用することができるため、コストダウンを実現することができる。
【００７１】
本発明では、水中ポンプ３２０が作動すると、吸入パイプ１００の下端部を介して高温水が直ちに汲み上げられるので、冷水帯と高温の温泉水との直接接触がないため、高温状態の温泉水を直ちに汲み上げて使用することができる。
【００７２】
吐出パイプ５００は、二重管構造をなすため、温泉水が汲み上げられる過程中に冷水帯による急激な温度降下を防止することができて、汲み上げられた温泉水を再加熱しなくてもよいという利点を持つ。
【産業上の利用可能性】
【００７３】
本発明は、温泉水や地下水の開発への使用に適した技術である。
【符号の説明】
【００７４】
Ｓ１  掘削段階
Ｓ２  吸入パイプ挿入段階
Ｓ３  カプセル型水中ポンプ組立段階
Ｓ４  カプセル型水中ポンプ連結段階
Ｓ５  吐出パイプ連結段階
Ｓ６  位置決め段階
１  温泉孔
１０  外部ケーシング
２０  内部ケーシング
１００  吸入パイプ
２００  吸入パイプ連結管
２１０  連結リング
２２０  補助ロープ
２３０  第２フランジ
３００  カプセル型水中ポンプ
３１０  ケース
３１１  第１フランジ
３２０  水中ポンプ
３２１  本体
３２２  吐出具
３２２−１  第３フランジ
３２３  密閉用蓋
３３０  電線設置孔
３３１  電線
４００  吐出パイプ連結管
４１０  第４フランジ
５００  吐出パイプ
５１０  外部パイプ
５２０  内部パイプ
５３０  エポキシ栓
５４０  結合手段
【要約】      （修正有）【課題】温泉開発時などに使用される水中ポンプに関する技術であって、メンテナンスおよび設置が容易であり、吐き出される温泉水の水温降下を効果的に防止することができるようにするカプセル型水中ポンプ施工方法を提供する。【解決手段】高温水が生成される深さまで孔を掘削する掘削段階と、吸入パイプ１００を孔の内部に挿入する吸入パイプ挿入段階と、ケースの上端から水中ポンプ３００を挿入させるカプセル型水中ポンプ組立段階と、ケースの下端を吸入パイプ１００の上端に連結させるカプセル型水中ポンプ連結段階と、ケースの上端を介して突出した水中ポンプ３００の吐出具に、二重に保温される吐出パイプ５００を連結させる吐出パイプ連結段階と、吸入パイプ１００の下端が孔の底部付近まで到達するように、一体に連結された吸入パイプ１００、カプセル型水中ポンプ３００および吐出パイプ５００を下降させる位置決め段階とを含む。【選択図】図３【図１】
0005997819.tif 000002
【図２】
0005997819.tif 000003
【図３】
0005997819.tif 000004
【図４】
0005997819.tif 000005
【図５】
0005997819.tif 000006